(57)【要約】【課題】支持部材によって取付部位に支持されるスポットライト本体の前端部に、カバー部材が回動結合方式によって着脱自在に取り付けられたスポットライトにおいて、スポットライトの首振り角度や回転角度を調整する際に、カバー部材の意図しない回動を防止し、あるいはカバー部材のスポットライト本体からの意図しない離脱を防止したスポットライトを提供する。【解決手段】カバー部材６０がスポットライト本体５０に装着された状態でカバー部材６０の取り外し方向への回動を解除可能に規制するか、または取り外し方向へ回動されたカバー部材６０の前記スポットライト本体５０からの離脱を解除可能に規制するロック機構８０が設けられている。【選択図】  図１
2005317464.tif 000002
【特許請求の範囲】
【請求項１】
支持部材によって取付部位に支持されるスポットライト本体の前端部に、カバー部材が回動結合方式によって着脱自在に取り付けられたスポットライトにおいて、
前記カバー部材が前記スポットライト本体に装着された状態でカバー部材の取り外し方向への回動を解除可能に規制するか、または取り外し方向へ回動されたカバー部材の前記スポットライト本体からの離脱を解除可能に規制するロック機構が設けられていることを特徴とするスポットライト。
【請求項２】
前記ロック機構は、前記スポットライト本体とカバー部材のうちの一方に設けられ弾性力を付与されたストッパと、他方に設けられた凹部とからなり、前記ストッパは、前記カバー部材を前記スポットライト本体に対して結合方向に回動させた位置で弾性復帰することにより、前記凹部に進入して前記カバー部材の回動を規制し、弾性復帰力に抗する力の付与によって前記ストッパを凹部から退出させた状態で、カバー部材をスポットライト本体に対して取り外し方向に回動可能となされている請求項１に記載のスポットライト。
【発明の詳細な説明】
【技術分野】
【０００１】
この発明は、たとえば店舗の天井等に吊り下げられるスポットライトに関する。
【背景技術】
【０００２】
一般に、上記のようなスポットライトは、上下方向へ首振り可能にかつ水平面内で回転可能な状態で、支持部材を介して天井等の取付部位に取り付けられるものとなされており、スポットライトから照射される光が照光対象物に良好に照射されるように、照光対象物の位置や形状などに応じて、スポットライトの首振り角度や回転角度を調整できるようになっている（たとえば特許文献１）。
【０００３】
このようなスポットライトは、一般には、支持部材によって天井等に支持されるスポットライト本体と、このスポットライト本体の前端部に、回動結合方式によって着脱自在に取り付けられたカバー部材とを備えている。
【０００４】
そして、光源の交換等の際には、カバー部材を取り外し方向に回動させてスポットライト本体から離脱させ、光源等の交換を行った後、カバー部材を再びスポットライト本体に組み付けたのち結合方向に回動させて装着できるようになっている。
【特許文献１】実公平７−３５２１５号公報
【発明の開示】
【発明が解決しようとする課題】
【０００５】
ところで、スポットライト本体にカバー部材が装着された上記スポットライトにおいて、前述したようなスポットライト本体の首振り角度や回転角度の調整を行う場合には、スポットライト本体が支持部材を介して天井等に取り付けられていることから、前側に位置する前記カバー部材を把持して行われやすい。
【０００６】
しかるに、カバー部材は前述のとおり回動結合方式にてスポットライト本体に装着されているから、カバー部材を把持してスポットライト本体の首振り角度や回転角度を調整する際に、カバー部材が取り外し方向に意図せず回動し、そのためカバー部材がスポットライト本体から離脱する事態が往々にして発生しており、首振り角度や回転角度の調整作業が実にやりにくかった。特に、天井等の高所に取り付けられている場合には、下方から手を伸ばして作業を行うことも多く、カバー部材の取り外し方向への意図しない回動がなおさら発生しやすかった。
【０００７】
なお、スポットライト本体から離脱したカバー部材が落下しないように、カバー部材をハウジング部材にワイヤーで連結することも一部で行われているが、カバー部材の離脱そのものを防止することはできなかった。
【０００８】
この発明は、このような実情に鑑みてなされたものであって、支持部材によって取付部位に支持されるスポットライト本体の前端部に、カバー部材が回動結合方式によって着脱自在に取り付けられたスポットライトにおいて、スポットライトの首振り角度や回転角度を調整する際に、カバー部材の意図しない回動を防止し、あるいはカバー部材のスポットライト本体からの意図しない離脱を防止したスポットライトの提供を課題とする。
【課題を解決するための手段】
【０００９】
上記課題を解決するために、この発明は、以下の手段を提供する。
（１）支持部材によって取付部位に支持されるスポットライト本体の前端部に、カバー部材が回動結合方式によって着脱自在に取り付けられたスポットライトにおいて、前記カバー部材が前記スポットライト本体に装着された状態でカバー部材の取り外し方向への回動を解除可能に規制するか、または取り外し方向へ回動されたカバー部材の前記スポットライト本体からの離脱を解除可能に規制するロック機構が設けられていることを特徴とするスポットライト。
（２）前記ロック機構は、前記スポットライト本体とカバー部材のうちの一方に設けられ弾性力を付与されたストッパと、他方に設けられた凹部とからなり、前記ストッパは、前記カバー部材を前記スポットライト本体に対して結合方向に回動させた位置で弾性復帰することにより、前記凹部に進入して前記カバー部材の回動を規制し、弾性復帰力に抗する力の付与によって前記ストッパを凹部から退出させた状態で、カバー部材をスポットライト本体に対して取り外し方向に回動可能となされている前項１に記載のスポットライト。
【発明の効果】
【００１０】
前項（１）に記載の発明によれば、ロック機構によって、カバー部材の取り外し方向への回動が解除可能に規制され、あるいは取り外し方向へ回動されたカバー部材の前記スポットライト本体からの離脱が解除可能に規制されるから、カバー部材の取り外し方向への意図しない回動や、取り外し方向へ回動されたカバー部材のスポットライト本体からの意図しない離脱を防止できる。このため、カバー部材を把持してスポットライトの首振り角度や回転角度の調整を行う場合にも、安心して楽に作業を行うことができる。
【００１１】
もとより、ロック機構は解除可能であるから、カバー部材の意図的な取り外しが必要な場面では、ロック機構の解除によりカバー部材を取り外し方向へ回動してスポットライト本体から離脱させることができ、あるいは取り外し方向に回動させたのちロック機構を解除することにより、カバー部材をスポットライト本体から離脱することができるから、ロック機構が光源の交換時等に障害となることはない。
【００１２】
前項（２）に記載の発明によれば、カバー部材の装着状態において、カバー部材を取り外し方向に回動させようとすると、凹部に進入したストッパと凹部とが係合してカバー部材の回動が阻止されるから、カバー部材をスポットライト本体に対して回動不能に確実にロックすることができる。また、カバー部材を取り外し方向に意図的に回動させる必要があるときは、弾性復帰力に抗する力の付与によって前記ストッパを凹部から退出させた状態で、カバー部材を回動させればよいから、簡単な構成により確実な回動規制とその解除を行うことができるロック機構となし得る。
【発明を実施するための最良の形態】
【００１３】
以下、この発明の一実施形態を説明する。
【００１４】
図１は、この発明の一実施形態に係るスポットライトに支持部材を取り付けた状態の斜視図、図２はスポットライト本体とカバー部材とを分離した状態の斜視図、図３は図１に示したスポットライトの平面図、図４は同じく側面図である。
【００１５】
これらの図において、１はスポットライトであり、このスポットライト１は、逆Ｕ字形の支持アーム２に、その後端部を上下方向に首振り自在に軸着されている。前記支持アーム２は、長さ方向中央の軸孔部２１を用いて、天井等に固定された図示しない取付盤の下面に回転自在に取着されるものとなされている。従って、天井等への吊り下げ状態において、前記スポットライト１の支持アーム２に対する上下方向の首振り角度を調整するとともに、支持アーム２の取付盤に対する水平面内での回転角度を調整することにより、照光対象物に適切なスポット照光を付与することができるものとなされている。
【００１６】
前記スポットライト１は、内部に光源としてのランプ１１を収容しており、長さ方向の後部側から順に、支持アーム取付部材３０、ハウジング部材４０、カバー部材６０を備えている。また、この実施形態では、支持アーム取付部材３０とハウジング部材４０とによって、スポットライト本体５０が構成されている。
【００１７】
前記支持アーム取付部材３０は、前記ハウジング部材４０の後端部に一体に連結されたものであり、外周面に放射状の放熱フィン３１を有するとともに、外周面に前記支持アーム２が取り付けられている。
【００１８】
前記ハウジング部材４０は、内径一定の短筒状の嵌合端部４１とこの嵌合端部４１の後端周縁に連設された円錐台部４２とを有する断面円形の中空体からなり、その内方後端部には、給電用リード線（図示せず）に接続されたランプソケット４３（図１０に示す）が配設され、このランプソケット４３に前記ランプ１１が装着されている。また、円錐台部４２の周壁には軸方向の中間部の位置に、周方向に沿う複数個の放熱窓４４が形成されている。なお、図１に示す４５はリード線の取出口である。
【００１９】
一方、前記カバー部材６０は図２及び図５に示すように、軸方向後方位置に径小部６１を有するリング状の第１部材６２とこの第１部材６２の前記径小部６１に外嵌め固定されたリング状の第２部材６３とによって、外径一定の前側環状部６４と、この前側環状部６４の後端縁に連設され前記前側環状部６４よりも外径が縮小された後側環状部６５とを有するものに形成されている。このカバー部材６０の前記後側環状部６５は、前記ハウジング部材４０の嵌合端部４１に内嵌めされるものであり、その外径は前記嵌合端部４１の内径よりもわずかに小さく設定されている。
【００２０】
さらに、前記カバー部材６０の前側環状部６４内には、開口部を遮蔽する態様で透明なカバーガラス６６が取り付けられている。なお、図２及び図５に示す６７は、カバーガラス６６の周縁を押しつけてカバーガラス６６の前側環状部６４からの脱落を防止するワイヤである。
【００２１】
さらにまた、カバー部材６０を構成する前記第２部材６３の後端周縁部は、径方向内方に直角状にわずかに突出するとともに、この突出縁部６３ａに、内面を反射面となされた円錐形状の反射体６８の周縁部が係止されて、反射体６８がカバー部材６０と一体的に取り付けられている。前記反射体６８は、ランプ１１の光を前方へ反射させるためのものであり、その後部中心部にはランプ挿通孔６８ａが形成されている。また、ランプ挿通孔６８ａを囲む態様で、前記反射体６８の後部には、複数の環状放熱フィン部６９を有する筒状の放熱用部材７０がねじ止め固定されている。
【００２２】
図２に示すように、前記ハウジング部材４０の嵌合端部４１の内周面には、周方向の３等分位置に、矩形のガイド突起４６がそれぞれ突出形成されている。
【００２３】
一方、前記カバー部材６０の後側環状部６５には、外周３等分位置に、前記第２部材６３が切り欠かれることによりガイド溝７１がそれぞれ形成されている。このガイド溝７１は、前記ハウジング部材４０のガイド突起４６を案内するためのものであり、図６に拡大して示すように、カバー部材６０の後側環状部６５を軸方向に押し込んで（矢印Ａ）、ハウジング部材４０の嵌合端部４１に内嵌めしたときに、前記ガイド突起４６を嵌まり込ませて軸方向に案内する第１ガイド部７１ａと、内嵌め完了後にカバー部材６０を周方向に回動させたときに（矢印Ｂ）、前記ガイド突起４６を周方向に案内する第２ガイド部７１ｂとによってＬ形に形成されている。
【００２４】
そして、前記ガイド突起４６が前記第２ガイド部７１ｂの最奥部に達するまでカバー部材６０を回動させることによって、スポットライト本体５０のハウジング部材４０にカバー部材６０が正しく装着された状態となり、逆にカバー部材６０を反対向きに回動させたのちカバー部材６０を引き抜くことにより、ガイド突起４６がガイド溝７１から逸脱し、カバー部材６０をハウジング部材４０（スポットライト本体５０）から離脱させることができ、ランプ１１の交換等を行いうるものとなされている。
【００２５】
図１〜図３に示すように、前記ハウジング部材４０の嵌合端部４１の開口縁部には、１個の切欠状矩形凹部４８が形成されている。
【００２６】
一方、前記カバー部材６０の外周面には、前側環状部６４から後側環状部６５にかけての部位に、平面視長方形の１個の金属製のストッパ７２が設けられている。このストッパ７２は、図７及び図８に詳しく示すように、前側環状部６４から後側環状部６５の外周面に彫り込み状に形成されたストッパ収容部７３に収容可能となされるとともに、ストッパ７２の基端二股部７２ａをストッパ収容部７３の後端部の両側内面に軸着され、これによりストッパ７２はカバー部材６０の軸方向に回動自在となされている。また、ストッパ７２が前記ストッパ収容部７３に収容された状態で、ストッパ７２前端部に形成された膨出状の頭部７２ｂを除くストッパ７２のほぼ全体が、前記ストッパ収容部７３内に埋没してカバー部材６０の後側環状部６５の外周面から径方向外方に突出しないように、ストッパ７２の厚さ及びストッパ収容部７３の深さが設定されている。なお、前記ストッパ７２の膨出状頭部７２ｂは、ストッパ７２がストッパ収容部７３に収容された状態で、前側環状部６４の外周面から径方向に突出する厚さに形成されている。
【００２７】
さらに、前記ストッパ７２を軸着する軸部７４には、ストッパ基端の二股部７２ａ間において、ストッパ７２に後方側（スポットライト本体５０側）への回動力を常時付与する態様でコイルスプリング７５が介挿されている。
【００２８】
前記ハウジング部材４０の凹部４８と前記カバー部材６０のストッパ７２とは、次のような位置関係で設けられている。すなわち、ハウジング部材４０の前記ガイド突起４６をカバー部材６０のガイド溝７１の第１ガイド部７１ａに嵌め込んでハウジング部材４０の嵌合端部４１にカバー部材６０の後側環状部６５を嵌合した状態においては、図９に示すように、ハウジング部材４０の凹部４８とカバー部材６０のストッパ７２とが周方向に離間した位置にあり、前記ガイド突起４６がガイド溝７１の第２ガイド部７１ｂの最奥部に達するまでカバー部材６０を回動させた状態においては、図１，図３などに示すように、ハウジング部材４０の凹部４８とカバー部材６０のストッパ７２とが周方向において合致するように、それらの位置が設定されている。
【００２９】
このようなハウジング部材４０の凹部４８と前記カバー部材６０のストッパ７２とは、スポットライト本体５０にカバー部材６０を装着した状態でのカバー部材６０の取り外し方向への回動を阻止するロック機構８０を構成するものである。
【００３０】
すなわち、カバー部材６０をスポットライト本体５０に装着した状態では、図１０及び図１１の鎖線で示すように、カバー部材６０のストッパ７２とハウジング部材４０の凹部４８とが周方向において合致し、ストッパ７２はコイルスプリング７５の弾性力によってハウジング部材４０側に回動復帰し、その一部がハウジング部材４０の前記凹部４８内に進入し、ストッパ７２は凹部４８を斜めに横断した配置状態となる。この状態において、カバー部材６０を取り外し方向に回動しようとしても、ストッパ７２が凹部４８の内側縁に係合してカバー部材６０の回動を阻止し、カバー部材６０とスポットライト本体５０が装着状態にロックされる。
【００３１】
従って、この状態で、カバー部材６０を把持してスポットライト１の首振り角度や回転角度の調整を行ったとしても、カバー部材６０の意図しない回動が阻止され、ひいてはカバー部材６０のスポットライト本体５０からの意図しない離脱が防止される。
【００３２】
次に、ランプ１１の交換等のためのカバー部材６０の取り外しとその後の取り付けについて説明する。
【００３３】
まず、カバー部材６０を取り外すには、図１１の矢印Ｃで示すように、コイルスプリング７５による付勢力に抗してストッパ７２の頭部７２ｂを指等でストッパ収容部７３側に押さえたのち、カバー部材６０を取り外し方向に回動させればよい。ストッパ７２の頭部７２ｂを押さえることにより、ストッパ７２はストッパ収容部７３に収容されて凹部４８から退出し、ストッパ７２と凹部４８との係合が解除されるから、カバー部材６０は取り外し方向へスムーズに回動可能となる。回動開始後、ストッパ７２と凹部４８との係合が解除されると、ストッパ７２はハウジング部材４０の嵌合端部４１の内周面によって押さえられるから、指を頭部７２ｂから離しても再び回動が阻止されることはない。
【００３４】
ハウジング部材４０のガイド突起４６がカバー部材６０のガイド溝７１の第２ガイド部７１ｂの取り外し方向最大位置に達するまで、カバー部材６０を回動させると、次にカバー部材６０を軸方向に引張る。すると、ハウジング部材４０のガイド突起４６がカバー部材６０のガイド溝７１の第１ガイド部７１ａに案内されながら、カバー部材６０はスポットライト本体５０から離脱する。
【００３５】
ランプ等の交換後、カバー部材６０を取り付けるには、カバー部材６０の前記ストッパ７２をその頭部７２ｂを押さえてストッパ収容部７３に入れ込み、この状態で、前記ハウジング部材４０のガイド突起４６とカバー部材６０のガイド溝７１の第１ガイド部７１ａとが合致する位置にて、カバー部材６０の後側環状部６５を軸方向に押し込んでハウジング部材４０の嵌合端部４１に内嵌め嵌合する。この状態では、ストッパ７２はハウジング部材４０の嵌合端部４１の内周面によって押さえられるから、指を頭部７２ｂから離しても良い。
【００３６】
次いで、カバー部材６０を取り付け方向に回動させる。ハウジング部材４０の凹部４８とストッパ７２とが周方向で合致する位置まで回動させると、ハウジング部材４０の嵌合端部４１の内周面からストッパ７２が受けていた押圧力が、凹部４８によって解放されるから、ストッパ７２はコイルスプリング７５の弾性力によって凹部４８側に回動復帰し、前記凹部４８内に進入して、ストッパ７２と凹部４８とが係合状態となり、以後はストッパ７２の頭部７２ｂを押さえない限り、カバー部材６０の取り外し方向への回動が阻止される。
【００３７】
このように、この実施形態では、カバー部材６０のストッパ７２とハウジング部材４０の凹部４８とによって、カバー部材６０がハウジング部材４０に対して取り外し方向への回動不能にロックされるから、カバー部材６０の意図しない回動操作を防止でき、従ってカバー部材６０のスポットライト本体５０からの意図しない離脱を防止できる。
【００３８】
なお、以上の実施形態では、スポットライト本体５０側に凹部４８を、カバー部材６０側にストッパ７２を設けたが、スポットライト本体５０側にストッパをカバー部材６０側に凹部を設けても良い。
【００３９】
また、カバー部材６０の取り外し方向への回動を阻止するロック機構８０を設けたが、ロック機構８０はこれに限定されることはない。たとえば、カバー部材６０の取り外し方向への回動は許容するとともに、取り外し方向への最大回動位置で凹部とストッパとが係合することにより、カバー部材６０のスポットライト本体５０からの引き抜きを阻止し、ストッパに対して係合解除操作を行った場合にのみ、カバー部材６０のスポットライト本体５０からの引き抜き離脱を許容する構成としても良い。しかしながら、スポットライト本体５０の首振り角度や回転角度の調整時に、カバー部材６０が確実に回動しない点で、図示実施形態に示したようなカバー部材６０の取り外し方向への回動を阻止するロック機構８０に構成するのが良い。
【００４０】
また、スポットライト本体５０とカバー部材６０との回動結合方式は、実施形態のものに限定されることはなく、たとえばねじ結合によって両者を装着する構成であっても良い。
【図面の簡単な説明】
【００４１】
【図１】この発明の一実施形態に係るスポットライトに支持部材を取り付けた状態の斜視図である。
【図２】スポットライト本体とカバー部材とを分離した状態の斜視図である。
【図３】図１のスポットライトの平面図である。
【図４】同じく側面図である。
【図５】図２のＶ−Ｖ線断面図の要部である。
【図６】スポットライト本体にカバー部材を嵌合する前の要部斜視図である。
【図７】カバー部材のストッパ取付部位を拡大して示す斜視図である。
【図８】図７のVIII−VIII線断面図である。
【図９】スポットライト本体のハウジング部材にカバー部材を嵌合した後の要部平面図である。
【図１０】図３のＸ−Ｘ線断面図である。
【図１１】スポットライト本体にカバー部材を装着した状態の図７相当断面図である。
【符号の説明】
【００４２】
１      スポットライト
２      支持アーム
１１    ランプ
４０    ハウジング部材
４６    ガイド突起
４８    凹部
５０    スポットライト本体
６０    カバー部材
６４    前側環状部
６５    後側環状部
６６    カバーガラス
７１    ガイド溝
７２    ストッパ
７３    ストッパ収容部
７５    コイルスプリング
８０    ロック機構
【図１】
2005317464.tif 000003
【図２】
2005317464.tif 000004
【図３】
2005317464.tif 000005
【図４】
2005317464.tif 000006
【図５】
2005317464.tif 000007
【図６】
2005317464.tif 000008
【図７】
2005317464.tif 000009
【図８】
2005317464.tif 000010
【図９】
2005317464.tif 000011
【図１０】
2005317464.tif 000012
【図１１】
2005317464.tif 000013